(57)【要約】【課題】どの項目について設定したかを表示によって容易かつ確実に確認できるようにする。【解決手段】ディスプレイ１２に印刷や製本に関するものなどの各種機能内容をアイコンからなるボタン群２１で表示し、このボタン群２１のアイコンを選択クリックしたとき、ディスプレイ１２に選択されたアイコンが示す機能の各設定項目を表示画面２４内にアイコンで一覧表示し、所望のアイコンを選択クリックしたとき、ボタン群の対応するアイコンを選択された設定項目のアイコンに変更するとともにその変更したアイコンを反転表示表示しこれを保持し、選択された設定項目を印刷情報として設定する。【選択図】　　図５
2004038880.tif 000002
【特許請求の範囲】
【請求項１】
ディスプレイに印刷や製本に関するものなどの機能内容をアイコンからなるボタンで表示する手段と、前記ボタンのアイコンをクリックしたとき、前記ディスプレイにアイコンが示す機能の各設定項目をアイコンで一覧表示する手段と、この一覧表示されたアイコンの内、所望のアイコンをクリックしたとき、前記ボタンのアイコンを選択された設定項目のアイコンに変更するとともにその変更したアイコンの色を変化させてこれを保持する手段と、選択された設定項目を印刷情報として設定する手段とを備えたことを特徴とする印刷情報設定装置。
【請求項２】
ディスプレイに印刷や製本に関するものなどの各種機能内容をアイコンからなるボタン群で表示する手段と、前記ボタン群のアイコンを選択クリックしたとき、前記ディスプレイに選択されたアイコンが示す機能の各設定項目をアイコンで一覧表示する手段と、この一覧表示されたアイコンの内、所望のアイコンをクリックしたとき、前記ボタン群の対応するアイコンを選択された設定項目のアイコンに変更して表示しこれを保持する手段と、選択された設定項目を印刷情報として複数設定する手段と、前記ディスプレイに設けた設定結果表示画面に設定された複数の印刷情報の設定結果を総合的にイラスト表示させる手段とを備えたことを特徴とする印刷情報設定装置。
【請求項３】
コンピュータを、ディスプレイに印刷や製本に関するものなどの各種機能内容をアイコンからなるボタン群で表示する手段と、前記ボタン群のアイコンを選択クリックしたとき、前記ディスプレイに選択されたアイコンが示す機能の各設定項目をアイコンで一覧表示する手段と、この一覧表示されたアイコンの内、所望のアイコンをクリックしたとき、前記ボタン群の対応するアイコンを選択された設定項目のアイコンに変更するとともにその変更したアイコンの色を変化させてこれを保持する手段と、選択された設定項目を印刷情報として設定する手段として機能させるためのプログラム。
【発明の詳細な説明】
【０００１】
【発明の属する技術分野】
本発明は、印刷や製本に関するものなどの各種機能を印刷情報として設定する印刷情報設定装置及びプログラムに関する。
【０００２】
【従来の技術】
印刷や製本に関するものなどの各種機能を印刷情報として設定する印刷情報設定装置としては、ディスプレイの表示画面に各種機能内容を項目として一覧表示し、設定したい項目をマウスでクリックして反転表示させることでその項目を印刷情報として設定していた。
【０００３】
【発明が解決しようとする課題】
しかし、従来の印刷情報設定装置は、設定したい項目をクリックして反転表示しても他の項目を続けてクリックするとこの新たにクリックされた項目は反転表示されるが、先に反転表示されている項目の表示は元の表示に戻るため、複数の項目について設定したとき、どの項目について設定したかを表示によって確認することができず、混乱を招くおそれがあった。
【０００４】
そこで、本発明は、どの項目について設定したかをアイコン表示によって容易かつ確実に確認できる印刷情報設定装置及びプログラムを提供する。
【０００５】
【課題を解決するための手段】
本発明は、ディスプレイに印刷や製本に関するものなどの機能内容をアイコンからなるボタンで表示し、このボタンのアイコンをクリックしたとき、ディスプレイにアイコンが示す機能の各設定項目をアイコンで一覧表示し、所望のアイコンを選択クリックしたとき、ボタンのアイコンを選択された設定項目のアイコンに変更するとともにその変更したアイコンの色を変化させてこれを保持し、選択された設定項目を印刷情報として設定するものである。
【０００６】
【発明の実施の形態】
以下、本発明の実施の形態を、図面を参照して説明する。
図１は印刷情報設定装置の構成を示すブロック図で、１１はホストコンピュータ、１２はこのホストコンピュータ１１によって表示制御されるディスプレイ、１３は前記コンピュータ１１に外部から情報を入力するキーボードやマウス等の入力装置、１４は前記ホストコンピュータ１１によって駆動制御されるプリンタ、１５はＣＤ−ＲＯＭを駆動し、プログラムデータ等を読取って前記ホストコンピュータ１１に供給するＣＤ−ＲＯＭドライブである。
【０００７】
前記ホストコンピュータ１１は、プログラムとしてオペレーションシステム（ＯＳ）１６やアプリケーションソフト１７を設け、ＯＳ１６に前記プリンタ１４を駆動制御するプリンタドライバ１８を設けている。
【０００８】
前記プリンタドライバ１８に、印刷や製本に関するものなどの各種機能を印刷情報として設定する場合、ホストコンピュータ１１は前記ディスプレイ１２に図３に示すプリントタブの表示を行うようになっている。すなわち、画面右側には、印刷や製本に関するものなどの各種機能内容をアイコンからなるボタン群２１を表示し、その下に用紙サイズ、印刷の向き、用紙の種類、印刷部数の設定画面２２を表示している。また、画面左側には、印刷情報の設定結果を用紙イメージによってイラスト表示させる設定結果表示画面２３等を表示している。前記設定結果表示画面２３でのイラスト表示は設定した内容を組み合わせて表示するようになっている。
【０００９】
前記ボタン群２１には、拡大／縮小印刷機能を示すアイコン２１ａ、Ｎ　ｉｎ　１　印刷機能を示すアイコン２１ｂ、両面印刷機能を示すアイコン２１ｃ、給紙方法を設定する機能を示すアイコン２１ｄ、排紙先を指定する機能を示すアイコン２１ｅ、フォント指定機能を示すアイコン２１ｆ、ソートモード機能を示すアイコン２１ｇ、ステープル／ホールパンチ機能を示すアイコン２１ｈ、綴じ代指定機能を示すアイコン２１ｉ、表紙機能を示すアイコン２１ｊ、ウォーターマーク機能を示すアイコン２１ｋ、印刷品質調整機能を示すアイコン２１ｌからなる。
【００１０】
なお、Ｎ　ｉｎ　１　印刷機能とは、２頁から１６頁の範囲を１枚に集約して印刷させる機能であり、両面印刷機能とは、左右開きで両面印刷するか上下開きで両面印刷するかを設定する機能であり、給紙方法を設定する機能とは、どのカセットから給紙するか手差しで給紙するかを設定する機能であり、排紙先を指定する機能とは、印刷した用紙を排出するトレイを指定する機能であり、フォント指定機能とは、印刷する字体を指定する機能であり、ソートモード機能とは、複数部印刷するときなどに、部単位で印刷するのか頁単位で印刷するのか指定する機能である。
【００１１】
また、ステープル／ホールパンチ機能とは、印刷した用紙にステープルやホールパンチを行う機能であり、綴じ代指定とは、製本するときなどに必要な、綴じるスペースを追加することを指定する機能であり、表紙機能とは、印刷する際に表紙や裏表紙、差込紙を追加する機能であり、ウォーターマーク機能とは、印刷する際に丸秘マーク等の文字の透かしを追加できる機能であり、印刷品質調整機能とは、印刷する際の解像度などを調節できる機能である。
【００１２】
前記ホストコンピュータ１１は、前記ディスプレイ１２に図３に示す表示を行っている状態では、図２に示す処理を行うようになっている。すなわち、Ｓ１にて、ボタン群２１のアイコンクリックによる入力データの読み込みを行うと、Ｓ２にて、入力データにより対応するアイコンを更新し、Ｓ３にて、更新した内容を表示画像メモリに格納する。そして、Ｓ４にて、変更があったアイコンに対応する画像パーツに変更し、Ｓ５にて、前記ディスプレイ１２に選択されたアイコンが示す機能の各設定項目をアイコンで一覧表示させる。
【００１３】
続いて、Ｓ６にて、前記ディスプレイ１２に一覧表示されたアイコンにより所望の設定項目を選択すると、Ｓ７にて、入力データの読み込みを行い、Ｓ８にて、入力データにより対応するアイコンを更新し、Ｓ９にて、更新した内容を表示画像メモリに格納する。そして、Ｓ１０にて、変更があった項目に対応する画像パーツに変更し、Ｓ１１にて、前記ディスプレイ１２への表示を行う。また、Ｓ６にて設定項目の選択を行わなければ、Ｓ１２にて、画像パーツを元に戻し、Ｓ１３にて、前記ディスプレイ１２への表示を行う。
【００１４】
このような構成においては、ディスプレイ１２に図３に示す表示を行っている状態で、例えば、ボタン群２１のＮ　ｉｎ　１　印刷機能のアイコンにカーソルを当てると、図４に示すようにアイコンがＮ　ｉｎ　１　印刷機能であることが表示され、この状態でこのアイコンをクリックすると、アイコンが反転表示に切り替わる。同時に、図５に示すように、Ｎ　ｉｎ　１　印刷機能に設定されている全ての項目が、表示画面２４内にアイコンによってプルダウン式に一覧表示される。
【００１５】
この状態で希望する設定項目のアイコンにカーソルを当てると、そのアイコンの設定項目、例えば、「２　ｉｎ　１順方向」が表示される。この状態でこのアイコンをクリックすると、アイコンが反転表示に切り替わり、さらに、図６に示すように、ボタン群２１のＮ　ｉｎ　１　印刷機能を示すアイコンが変更した設定項目のアイコンと入れ替わり、かつ、アイコンの色を反転表示のときとはさらに色を変えて、例えば、反転表示に比べて薄めの色に変え、これを保持する。また、設定結果表示画面２３に「２　ｉｎ　１順方向」の設定内容を反映させた用紙イメージのイラストが表示される。
【００１６】
従って、ユーザは、どの機能がどのような項目内容で設定されたかアイコンによって一目で把握することができる。しかも、既に設定されているアイコンは反転表示と色を変えているので、アイコンをクリックして反転表示したときにそのアイコンと既に設定が終了しているアイコンとを容易に区別することができ、操作性を向上できる。また、ユーザは、設定結果表示画面２３の用紙イメージによって印刷の仕上がりを一目で把握することができる。
【００１７】
また、既に設定が終了しているアイコンは反転表示とは色が区別されて表示状態が保持されるので、他の機能を設定するアイコンをクリックして反転表示させたときに元の表示状態に戻ることはなく、また、複数のアイコンをクリックして各種機能を設定した場合にその設定内容が一目で把握できる。また、各種機能の設定結果は設定結果表示画面２３の用紙イメージに組み合わされて総合的に反映されるので、複数のアイコンをクリックして各種機能を設定した内容が設定結果表示画面２３の用紙イメージによって把握することができる。
【００１８】
なお、この実施の形態においては、設定結果表示画面におけるイラスト表示を用紙イメージで行うものについて述べたが必ずしもこれに限定するものではない。
【００１９】
【発明の効果】
以上、本発明によれば、どの項目について設定したかをアイコン表示によって容易かつ確実に確認できる。
【図面の簡単な説明】
【図１】本発明の実施の形態を示すブロック図。
【図２】同実施の形態においてディスプレイにプリントタブの表示を行っている状態での表示変更処理を示す流れ図。
【図３】同実施の形態においてディスプレイに表示されるプリントタブの表示画面を示す図。
【図４】図３の表示画面においてＮ　ｉｎ　１　印刷機能のアイコンにカーソルを当てたときの表示変化を示す図。
【図５】図３の設定画面においてＮ　ｉｎ　１　印刷機能のアイコンをクリックし、表示された一覧表示から所望のアイコンにカーソルを当てたときの表示変化を示す図。
【図６】図３の設定画面においてＮ　ｉｎ　１　印刷機能を設定し、設定項目アイコンが保持されたときの表示変化を示す図。
【符号の説明】
１１…ホストコンピュータ
１２…ディスプレイ
１８…プリンタドライバ
【図１】
2004038880.tif 000003
【図２】
2004038880.tif 000004
【図３】
2004038880.tif 000005
【図４】
2004038880.tif 000006
【図５】
2004038880.tif 000007
【図６】
2004038880.tif 000008